(57)【特許請求の範囲】
【請求項１】
木製薄平板で加工された食品包装用具として、針葉樹林であるエゾマツ材、モミ材、ヒノキ材、スギ材、マツ材から選ばれた厚さ０．１〜１ｍｍの木製薄平板の上片面に、和紙、又はポリオレフィンの極薄品のフイルムで食品安全な接着剤によって接着被覆された自然木状表面を持つ擬似未加工状態の薄平板によって、厚さ３〜１２ｍｍ、縦３０〜１５０ｍｍ、長さ１００〜５００ｍｍの長方形の木製板の２〜４枚を枠体にして、前記枠体で形成された囲い上下面全体を巻くように覆って、内面を前記の針葉樹材の表面になるような木製容器になっていることを特徴する木製薄板使用食品包装用具。
【請求項２】
薄平板の片面を被覆する極薄品の樹脂製フイルムは、厚さ５〜２０ミクロンのポリエチレン、ポリプロピレン、ポリスチレンから選ばれたフイルムであって、前記のフイルムの接着剤としてエチレンー酢酸ビニールコポリマー、又は多糖類であって、１〜１５ミクロンの厚さに塗布して加圧成形して、薄平板を被膜していることを特徴する請求項１に記載の木製薄板使用食品包装用具。
【請求項３】
薄平板の片面を被覆する和紙は、楮、又は三椏からの穀紙であって、０．１〜１ｍｍの表面に平滑にして、プリントによって装飾できるようにして、その面が薄平板の装飾性和紙の表面になるように、食品安全性のポリウレタン系樹脂接着剤、又は多糖質系食品添加物プルランの水溶液によって、前記薄平板の接合面に塗布して被膜していることを特徴とする請求項１、又は請求項２に記載の木製薄板使用食品包装用具。
【請求項４】
木製薄板使用食品包装用具は、加工食品を包装するものであって、前記囲い形状として正方体、長方体で、正方体もしくは長方体の側縁面の１〜３個所に前記薄平板の縁部を接着した容器にして、前記薄平板の１部を、容器の蓋部にしていることを特徴する請求項１〜請求項３のいずれかに記載の木製薄板使用食品包装用具。
【発明の詳細な説明】
【技術分野】
【０００１】本発明は、木製薄板使用食品包装用具として薄平板を使用した弁当箱など食品包装容器の改良に関し、更に詳しくは、木目を浮き立たせて、木香りを持ち、汚れが付着しにくく、また、汚れ易い箇所を拭き洗いできて衛生的な木の温もりを持つ木製薄板使用食品包装用具に関する。
【背景技術】
【０００２】製造時に使用する容器をそのまま包装用容器とすることで、調理作業の簡素化、並びにコスト削減を図ることができる加熱・加湿調理用の容器兼用の木製包装容器を開発・提供するために、木製薄板材を用い、容器本体１の略矩形状の底部、そして該底部と縦方向に連なる，容器本体の両端部を、該薄板材の木目Ａと同一方向に一体に設け、さらに、前記底部に連なる縁部も、底部と一体に設け、これら縁部には、それぞれ両端部の外側で連結する連結片を縁部の両端に一体に設け、これら連結片には、連結用のスリットを設け、これら薄板材の外側必要箇所に罫線Ｘを設けた木製包装容器が提案されている（例えば、特許文献１参照）。【０００３】少なくとも周側枠を構成する板材が木製材料や豆科、草科の材料を用いて形成される包装用容器において、板材の固定を簡単に行うことができると共に、確実に固定でき、金属探知器にも反応することのない食品用等の包装用容器を提供することを目的に、包装用容器１の少なくとも周側枠が木製材料や豆科、草科の材料からなり、周側枠を構成する板材の突合せ部が合成樹脂製の固定部材によって接合されており、固定部材が硬質プラスチック製釘状部材であっても良く、さらに、板材への打込み部分となる表面に熱可塑性の接着剤で使用されるものが提案されている（特許文献２参照）。【０００４】吸湿作用、雑菌繁殖抑制作用及び保温作用を兼ね備えた食品用包装箱を提供するために、一端を開口した筒状本体の他端部側を底板で閉塞した食品用包装箱であって、本体は発泡樹脂製の板材で構成すると共に底板は木製の板材で構成する。本体の内側壁面における他端部側近くに沿って係合溝を形成し、底板は、その周縁を前記溝に係合して本体に固着して取付けて、前記包装箱を構成するものが提案されている（特許文献３参照）。【０００５】木の香りとその殺菌性で衛生的な薄板木製であって、簡単に使用できる木製薄板使用食品包装用具は存在していない。また木製薄平板であるために、組み立てができるので、多量に保管ができる。また被覆した薄平板一枚でできているために、使用中でも汚れを簡単にふき取ることもできるものも見当たらない。
【先行技術文献】
【特許文献】
【０００６】
【特許文献１】実用新案登録第３０７７４１９号公報
【特許文献２】特開２００４−６７１８０号公報
【特許文献３】実用新案登録第３１５５９８１号公報
【発明の概要】
【発明が解決しようとする課題】
【０００７】本発明においては、従来の木製薄板使用食品包装用具において、紙製、樹脂製、木製であって、それ自身抗菌性も少なく、また、容器自身使い捨てが難しい状態であった。また容器自身、衛生的見地からしても好ましいものではなかった。【０００８】本発明はこのような従来の問題点に鑑みてなされたもので、料理を置いて飲食する場合に、木製薄板の木製薄板使用食品包装用具に簡単に食品を包装することができて、また木の温もりと木の香りとその殺菌性で衛生的な薄平板の木製食事用具で、汚れを簡単にふき取ることもできることが期待されている。
特に簡単に包装ができて、使い捨てが容易であり、しかも木製で木の香りをもって、衛生的な食事用具を提供することを目的としたものである。
【課題を解決するための手段】
【０００９】木製薄平板で加工された食品包装用具として、針葉樹林であるエゾマツ材、モミ材、ヒノキ材、スギ材、マツ材から選ばれた厚さ０．１〜１ｍｍの木製薄平板の上片面に、和紙、又はポリオレフィンの極薄品のフイルムで食品安全な接着剤によって接着被覆された自然木状表面を持つ擬似未加工状態の薄平板によって、厚さ３〜１２ｍｍ、縦３０〜１５０ｍｍ、長さ１００〜５００ｍｍの長方形の木製板の２〜４枚を枠体にして、前記枠体を囲い形状に組み立て、前記囲い面全体を巻くように覆って、内面を前記の針葉樹材の表面になるような木製容器になっている木製薄板使用食品包装用具である。【００１０】薄平板の片面を被覆する極薄品の樹脂製フイルムは、厚さ５〜２０ミクロンのポリエチレン、ポリプロピレン、ポリスチレンから選ばれたフイルムであって、前記のフイルムの接着剤としてエチレンー酢酸ビニールコポリマー、又は多糖類であって、１〜１５ミクロンの厚さに塗布して加圧成形して、薄平板を被膜している。【００１１】薄平板の片面を被覆する和紙は、楮、又は三椏からの穀紙であって、０．１〜１ｍｍの表面に平滑にして、プリントによって装飾できるようにし、その面を薄平板の接着面にして、裏面における粗さを０．０５〜０．１ｍｍの凹凸をもたせた粗面にして、和紙の漉き面の形状を呈している装飾性和紙を薄平板に食品安全性のポリウレタン系樹脂接着剤、又は多糖質系食品添加物プルランの水溶液で、前記スライス単板薄板の接合面に塗布して被膜している。【００１２】木製薄板使用食品包装用具は、加工食品を包装するものであって、食品包装可能形状として正方体、長方体で、薄膜樹脂フイルムで加工された片表面の薄平板を組立枠体の外面によって全体を覆って、内面を木質状態になっている容器の底部、および蓋部、および側部を形成して、各枠体の側縁面の１〜３個所に前記薄平板の縁部を接着した容器にして、接着のない一面を薄平板の蓋部にしている。【００１３】木製薄板使用食品包装用具は、０．５〜１ｍｍ厚さの前記擬似未加工状態の木製薄板を幅５０〜３００ｍｍ、長さ１５０〜３５００ｍｍの、長方体、又は正方体から選ばれた形状であって、前記形状の一端にポケットを取り付けている。
【発明の効果】
【００１４】本発明は上述のように構成された木香りを持つ簡易の木製薄板使用食品包装用具は木の香りがして、非常に新鮮味を持ち、また木質独自の防菌、殺菌作用によって非常に安全安心である。フイルム被覆加工しているために汚れを簡単にふき取ることもできる。また、木製薄板使用食品包装用具を処分できる効果を奏する。【００１５】更に、木製薄板使用食品包装用具を特殊材料にて成形することによって、食品を簡単に包装できるともに、清潔に食品、生ものを簡単に包装することができる衛生的な被覆木製シートを提供できるといった効果を奏する。また、本発明の弁当容器等の食事用具は、材料として安価な間伐材、廃材を使用できて、大量生産に適し、価格も低廉なものとして需要者に供給できる。
【図面の簡単な説明】
【００１６】
【図１】木製薄平板使用食品包装用具の一例図
【図２】フイルムで接着被覆された擬似未加工状態の薄板説明図。Ａ：フイルム被覆状態図  Ｂ：断面図
【図３】和紙で接着被覆された擬似未加工状態の薄板説明図。Ａ：和紙被覆状態図  Ｂ：断面図
【図４】本発明に係る木製薄板使用食品包装用具の使用状態の図、
【発明を実施するための形態】
【００１７】次に本発明に係る箸袋の実施の一例の図面を参照しながら説明する。図１は、木製薄板使用食品包装用具との一例図、図２は、オレフィンフィルムで接着被覆された擬似未加工状態の薄板説明図、図３は、和紙で接着被覆された擬似未加工状態の薄板説明図、図４は、本発明に係る使用状態の図である。
【実施例１】
【００１８】木製薄平板で加工された食品包装用具として、図１に示すように針葉樹林であるスギ材の厚さ０．５ｍｍの木製の薄平板の片面に、ポリエチレンの極薄品の厚さ１５ミクロンのフイルムで食品安全なエチレンー酢酸ビニールコポリマー接着剤によって１〜１５ミクロンの厚さに塗布して加圧成形して、接着被覆された自然木状表面を持つ擬似未加工状態の薄平板によって、厚さ５ｍｍ、縦５０ｍｍ、長さ２００ｍｍの長方形の２枚を両端にして、前記木製板の周囲全体を巻くように覆って、内部が前記の杉表面の木製容器にした。【００１９】図２に示すように上記の木製薄板使用食品包装用具は、加工食品を包装するものであって、形状として長方体で、薄膜樹脂フイルムで加工された片表面の薄板を外面によって全体を覆って、内面を木質状態になっている容器の底部、および蓋部、および側部を形成して、前記各木製板忰体の木側面の３個所に前記薄板の縁部を接着した容器にして、接着のない一面を薄板蓋部にした。【００２０】木製薄板使用食品包装用具は、幅２００ｍｍ、長さ３００ｍｍの、長方体の形状であって、図４に示すように、おにぎりとおかずの食物を入れた弁当形式にした。
【実施例２】
【００２１】木製薄板で加工された食品包装用具として、針葉樹林であるマツ材から選ばれた厚さ０．５ｍｍの木製の薄平板の片面に、和紙で食品安全な接着剤によって接着被覆された自然木状表面を持つ擬似未加工状態の薄板によって、厚さ５ｍｍ、縦５０ｍｍ、長さ２００ｍｍの長方形の木製板の２枚を両端にして、前記木製板の周囲全体を覆って、内部を前記の針葉樹材の木製容器になっている木製薄板使用食品包装用具にした。【００２２】薄平板の片面を被覆する和紙は、楮の穀紙であって、０．１ｍｍの表面に平滑にして、プリントによって装飾できるようにし、その面を薄板の接着面にして、裏面における粗さを０．０７ｍｍの凹凸をもたせた粗面にして、和紙の漉き面の形状を呈している装飾性和紙を薄平板に食品安全性の多糖質系食品添加物プルランの水溶液で、前記スライス単板薄板の接合面に塗布して被膜した。【００２３】図３に示すような木製薄板使用食品包装用具は、加工食品を包装するものであって、形状として長方体で、内面を木質状態になっている容器の底部、および蓋部、および側部を形成して、前記各木製板の木側面の３個所に前記薄平板の縁部を接着した容器にして、接着のない一面を薄板蓋部にした。【００２４】木製薄板使用食品包装用具は、０．５ｍｍの前記擬似未加工状態の木製薄板を幅２００ｍｍ、長さ２００ｍｍの、正方体の形状であって、前記形状の一端にポケットを取り付けた。これに弁当などの食品を入れて使用した。
【実施例３】
【００２５】木製薄板で加工された食品包装用具として、針葉樹林であるヒノキ材から選ばれた厚さ１ｍｍの木製の薄平板の片面に、ポリオレフィンの極薄品の厚さ５〜２０ミクロンのフイルムで食品安全な接着剤によって接着被覆された自然木状表面を持つ擬似未加工状態の薄平板によって、厚さ５ｍｍ、縦７０ｍｍ、長さ３００ｍｍの長方形の木製板の４枚を両端にして、前記木製板枠体の周囲全体を覆って、内部を前記の針葉樹材の木製容器になっている木製薄板使用食品包装用具にした。【００２６】薄平板の片面を被覆する極薄品のポリオレフィンは、ポリエチレンから選ばれた樹脂製フイルムであって、前記のフイルムの接着剤としてエチレンー酢酸ビニールコポリマーであって、１５ミクロンの厚さに塗布して加圧成形して、薄平板を被膜した。【００２７】木製薄板使用食品包装用具は、加工食品を包装するものであって、形状として長方体で、薄膜樹脂フイルムで加工された片表面の薄平板を外面によって全体を覆って、内面を木質状態になっている容器の底部、および蓋部、および側部を形成して、前記各木製板の木側面の４個所に前記薄平板の縁部を接着した容器にして、接着のない一面を薄板蓋部にした。【００２８】木製薄板使用食品包装用具は、１ｍｍの前記擬似未加工状態の木製薄平板を幅１２００ｍｍ、長さ３００ｍｍの、長方体から選ばれた形状であって、前記形状の一端にポケットを取り付けた。これを使用して食品の器具収納とした。
【符号の説明】
【００２９】１．薄板
２．樹脂フイルム
３．和紙
４．側板
５．枠体
６．花模様
７．接着部
８．木目
９．節
１０．貼り付け部
１１．切込み部
１２．おにぎり
１３．卵焼き
【図１】
0006507338.tif 000002
【図２】
0006507338.tif 000003
【図３】
0006507338.tif 000004
【図４】
0006507338.tif 000005